(57)【要約】      （修正有）【課題】色ムラの発生を抑制する、照明装置、表示装置、及びテレビ受信装置を提供する。【解決手段】バックライト装置（照明装置）１２は、ＬＥＤ（光源）１７と、外周端面の少なくとも一部にＬＥＤ１７からの光が入射される入光端面１９ｂを有し、板面に光を出射させる出光板面１９ａを有する導光板１９と、導光板１９の出光板面１９ａに重なる形で配されＬＥＤ１７からの光を波長変換する蛍光体を含有し、外周側部分２０ＯＰの少なくとも一部が中央側部分２０ＩＰよりも単位面積当たりの蛍光体の含有量が多くなる多蛍光体部２７を有する波長変換シート（波長変換部材）２０と、を備える。【選択図】図２
2018195583.tif 000002
【特許請求の範囲】
【請求項１】
光源と、
外周端面の少なくとも一部に前記光源からの光が入射される入光端面が有され、板面に光を出射させる出光板面が有される導光板と、
前記導光板の前記出光板面に重なる形で配され前記光源からの光を波長変換する蛍光体を含有する波長変換部材と、を備え、
前記波長変換部材は、直線状に延在して設けられた、その周囲よりも単位面積当たりの前記蛍光体の含有量が多くなる多蛍光体部を有する照明装置。
【請求項２】
前記多蛍光体部は、前記波長変換部材における一端から他端にかけて全長にわたって設けられている請求項１に記載の照明装置。
【請求項３】
前記波長変換部材は、外周側部分が直線的に延在する辺部を有し、前記辺部が前記多蛍光体部を有している請求項１又は請求項２に記載の照明装置。
【請求項４】
前記波長変換部材は、外周側部分に直線的に延在して互いに並行する一対の辺部を有し、前記一対の辺部が前記多蛍光体部をそれぞれ有する請求項１又は請求項２に記載の照明装置。
【請求項５】
前記波長変換部材は、前記蛍光体を含有する蛍光体層を有していて、前記多蛍光体部における前記蛍光体層が、その周囲における前記蛍光体層よりも厚い請求項１から請求項４のいずれか１項に記載の照明装置。
【請求項６】
請求項１から請求項５のいずれか１項に記載の照明装置と、前記照明装置から照射される光を利用して画像を表示する表示パネルと、を備える表示装置。
【請求項７】
請求項６記載の表示装置を備えるテレビ受信装置。
【発明の詳細な説明】
【技術分野】
【０００１】
本発明は、照明装置、表示装置、及びテレビ受信装置に関する。
【背景技術】
【０００２】
従来の液晶表示装置の一例として下記特許文献１に記載されたものが知られている。この特許文献１に記載された液晶表示装置は、液晶パネルと、液晶パネルに光を照射するディスプレイバックライトユニットと、を備える。ディスプレイバックライトユニットは、一次光源と、一次光源によって放出される一次光を導光する導光板と、導光板によって導光された一次光によって励起されて二次光を放出するＱＤ蛍光体材料を含むリモート蛍光体フィルムと、を備える。
【先行技術文献】
【特許文献】
【０００３】
【特許文献１】特表２０１３−５４４０１８号公報
【発明の概要】
【発明が解決しようとする課題】
【０００４】
上記した特許文献１に記載されたようなリモート蛍光体フィルムを、いわゆるエッジライト型のバックライト装置に用いることを検討した場合、次のような問題が生じることが懸念される。すなわち、エッジライト型バックライトは、光源と、光源からの光を導光する導光板と、を備えており、このうちの導光板は、光源からの光が直接入射される入光端面と、光源からの光が直接入射されない非入光端面と、光を出射させる出光板面と、を有している。導光板内を伝播する光は、その全てが出光板面から出射するとは限らず、非入光端面からも出射され得るものとされる。非入光端面から出射した光は、リモート蛍光体フィルムによって波長変換され難いため、光源の光が波長変換されることなく出射してしまい、結果としてエッジライト型バックライト装置における外周側と中央側とでは出射光の色味に差が生じやすいものとなっていた。
【０００５】
本発明は上記のような事情に基づいて完成されたものであって、色ムラの発生を抑制することを目的とする。
【課題を解決するための手段】
【０００６】
本発明の照明装置は、光源と、外周端面の少なくとも一部に前記光源からの光が入射される入光端面が有され、板面に光を出射させる出光板面が有される導光板と、前記導光板の前記出光板面に重なる形で配され前記光源からの光を波長変換する蛍光体を含有する波長変換部材であって、外周側部分の少なくとも一部が中央側部分よりも単位面積当たりの前記蛍光体の含有量が多くなる多蛍光体部を有する波長変換部材と、を備える。
【０００７】
このようにすれば、光源から発せられた光は、導光板の外周端面のうちの入光端面に入射されて導光板内を伝播された後に出光板面から出射される。導光板の出光板面から出射された光は、出光板面に重ねられる波長変換部材に含有される蛍光体によって波長変換される。ここで、導光板内を伝播する光は、その全てが出光板面から出射するとは限らず、一部については導光板の外周端面から出射し得るものとされる。また、導光板内を伝播する光には、一旦出光板面から出射した後に再び導光板内に戻される再帰反射光が含まれているが、この再帰反射光は、導光板の中央側よりも外周側の方が反射回数が少なくなりがちとされるため、導光板の外周側（外周端面を含む）から出射する再帰反射光は、導光板の中央側から出射する再帰反射光に比べて光源の光の色味に近い色味となっている。
【０００８】
その点、波長変換部材は、その外周側部分の少なくとも一部が、中央側部分よりも単位面積当たりの蛍光体の含有量が多くなる多蛍光体部を有しているから、導光板の外周側（外周端面を含む）から出射する光の少なくとも一部を多蛍光体部によってより高い効率でもって波長変換することができる。これにより、当該照明装置における中央側と外周側とで出射光の色味に差が生じ難くなるので、色ムラの発生が抑制される。
【０００９】
本発明の実施態様として、次の構成が好ましい。
（１）前記波長変換部材は、前記外周側部分が前記導光板の前記外周端面よりも外側に突き出す突き出し部を有し、少なくとも前記突き出し部が前記多蛍光体部を有する。このようにすれば、導光板の外周端面から出射した光を、波長変換部材の突き出し部が有する多蛍光体部によって効率的に波長変換することができ、色ムラの抑制を図る上で好適となる。
【００１０】
（２）前記波長変換部材は、前記外周側部分のうち前記突き出し部とその内側部分とに跨る形で前記多蛍光体部を有する。このようにすれば、導光板の外周端面から出射した光に加えて、導光板の出光板面における外端部から出射した光についても、波長変換部材の突き出し部とその内側部分とに跨る形の多蛍光体部によって効率的に波長変換することができ、色ムラの抑制を図る上で好適となる。
【００１１】
（３）前記波長変換部材は、前記外周側部分が直線的に延在する辺部を有し、前記辺部が前記多蛍光体部を有していて前記多蛍光体部のうち前記辺部の延在方向についての端部が中央部よりも単位面積当たりの前記蛍光体の含有量が多くなる。導光板の外周端面から出射する光の量は、波長変換部材の外周側部分が有する辺部の延在方向についての端部付近の方が、中央部付近よりも多くなる傾向にある。その点、多蛍光体部は、辺部の延在方向についての端部が中央部よりも単位面積当たりの蛍光体の含有量が多くなる構成とされているので、導光板の外周端面のうち、波長変換部材の外周側部分が有する辺部における延在方向についての端部付近から出射する光を多蛍光体部においてより多く含まれる蛍光体によって効率的に波長変換することができ、もって色ムラの抑制を図る上で好適となる。
【００１２】
（４）前記導光板は、前記外周端面のうち前記入光端面を除いた部分が、前記光源からの光が直接入射されることのない非入光端面とされており、前記波長変換部材は、前記外周側部分のうち前記非入光端面に倣う部分の少なくとも一部が前記多蛍光体部を有する。光源から発せられて導光板の入光端面に入射してから導光板内を伝播する光は、導光板の外周端面のうち、特に非入光端面からより多く出射するものとされる。その点、波長変換部材の外周側部分のうち非入光端面に倣う部分の少なくとも一部が多蛍光体部を有しているから、非入光端面から出射する光を多蛍光体部によって効率的に波長変換することができ、もって色ムラの抑制を図る上で好適となる。
【００１３】
（５）前記波長変換部材は、前記導光板の前記出光板面に重なる形で配される板面側波長変換部と、前記導光板の前記非入光端面の少なくとも一部に重なる形で配される端面側波長変換部と、を有し、前記端面側波長変換部が前記多蛍光体部を有する。このようにすれば、導光板の出光板面から出射する光については、波長変換部材の板面側波長変換部により波長変換されるのに対し、導光板の非入光端面から出射する光については、波長変換部材の端面側波長変換部により波長変換される。この端面側波長変換部は、多蛍光体部を有しているから、導光板の非入光端面から出射する光を多蛍光体部によってより効率的に波長変換することができ、もって色ムラの抑制を図る上でより好適となる。
【００１４】
（６）前記波長変換部材は、前記外周側部分のうち前記非入光端面に倣う部分の全域が前記多蛍光体部とされる。このようにすれば、導光板の非入光端面から出射する光を多蛍光体部によって一層効率的に波長変換することができるから、色ムラの抑制を図る上で一層好適となる。
【００１５】
（７）前記波長変換部材は、前記外周側部分の全域が前記多蛍光体部とされる。このようにすれば、導光板の外周端面から出射する光を多蛍光体部によってより一層効率的に波長変換することができるから、色ムラの抑制を図る上でより一層好適となる。
【００１６】
（８）前記波長変換部材は、前記外周側部分に直線的に延在して互いに並行する一対の辺部が有され前記一対の辺部が前記多蛍光体部をそれぞれ有する。このようにすれば、波長変換部材の外周側部分に多蛍光体部を選択的に配するに際して、一対の辺部のそれぞれに直線的に多蛍光体部を設けるようにすればよい。従って、波長変換部材の製造が容易なものとなり、波長変換部材に係る製造コストの低廉化を図る上で好適となる。
【００１７】
（９）前記波長変換部材は、前記多蛍光体部における前記蛍光体の分布密度が、前記中央側部分における前記蛍光体の分布密度よりも高い。このようにすれば、波長変換部材の製造に際して、例えば外周側部分の少なくとも一部と、中央側部分と、で分布密度が異なる蛍光体を塗布するなどにより多蛍光体部を設けることができる。
【００１８】
（１０）前記波長変換部材は、前記蛍光体を含有する蛍光体層を有していて、前記多蛍光体部における前記蛍光体層が、前記中央側部分における前記蛍光体層よりも厚い。このようにすれば、波長変換部材の製造に際して、例えば外周側部分の少なくとも一部に、中央側部分よりも蛍光体を多く塗布するなどにより多蛍光体部を設けることができる。
【００１９】
（１１）前記光源は、青色の光を発するものとされており、前記波長変換部材は、前記蛍光体として、前記青色の光を緑色の光に波長変換する緑色蛍光体及び前記青色の光を赤色の光に波長変換する赤色蛍光体と、前記青色の光を黄色の光に波長変換する黄色蛍光体と、の少なくともいずれか一方を含有する。このようにすれば、光源から発せられた青色の光は、波長変換部材に緑色蛍光体及び赤色蛍光体が含有される場合は緑色の光及び赤色の光に、黄色蛍光体が含有される場合は黄色の光に、波長変換される。ここで、導光板の外周側から出射する光が青色味を帯びたものであっても、その光の少なくとも一部を多蛍光体部によってより高い効率でもって緑色の光及び赤色の光または黄色の光に波長変換することができるので、色ムラの発生が抑制される。
【００２０】
（１２）前記波長変換部材は、前記蛍光体として量子ドット蛍光体を含有する。このようにすれば、波長変換部材による光の波長変換効率がより高いものとなるとともに、波長変換された光の色純度が高いものとなる。
【００２１】
次に、上記課題を解決するために、本発明の表示装置は、上記記載の照明装置と、前記照明装置から照射される光を利用して画像を表示する表示パネルと、を備える表示装置。このような構成の表示装置によれば、照明装置の出射光が色ムラの発生が抑制されたものとなっているから、表示品位に優れた表示を実現することができる。
【００２２】
さらには、上記課題を解決するために、本発明のテレビ受信装置は、上記記載の表示装置を備えるテレビ受信装置。このようなテレビ受信装置によれば、表示装置の表示品位が優れたものとされているから、表示品位に優れたテレビ画像の表示を実現することができる。
【発明の効果】
【００２３】
本発明によれば、色ムラの発生を抑制することができる。
【図面の簡単な説明】
【００２４】
【図１】本発明の実施形態１に係るテレビ受信装置の概略構成を示す分解斜視図
【図２】テレビ受信装置が備える液晶表示装置の概略構成を示す分解斜視図
【図３】液晶表示装置が備えるバックライト装置の平面図
【図４】図３のiv-iv線断面図
【図５】図３のv-v線断面図
【図６】波長変換シートの断面図
【図７】波長変換シートの平面図
【図８】波長変換シートにおけるＹ１端からＹ２端に至るまでの単位面積当たりの蛍光体の含有量の変化を示すグラフ
【図９】波長変換シートにおけるＸ１端からＸ２端に至るまでの単位面積当たりの蛍光体の含有量の変化を示すグラフ
【図１０】本発明の実施形態２に係る波長変換シートの平面図
【図１１】波長変換シートの外周側部分の短辺部におけるＹ１端からＹ２端に至るまでの単位面積当たりの蛍光体の含有量の変化を示すグラフ
【図１２】波長変換シートの外周側部分の長辺部におけるＸ１端からＸ２端に至るまでの単位面積当たりの蛍光体の含有量の変化を示すグラフ
【図１３】本発明の実施形態３に係る波長変換シートの平面図
【図１４】波長変換シートにおけるＹ１端からＹ２端に至るまでの単位面積当たりの蛍光体の含有量の変化を示すグラフ
【図１５】本発明の実施形態４に係る波長変換シートの平面図
【図１６】波長変換シートにおけるＹ１端からＹ２端に至るまでの単位面積当たりの蛍光体の含有量の変化を示すグラフ
【図１７】本発明の実施形態５に係る液晶表示装置の端部の断面図
【図１８】本発明の実施形態６に係る液晶表示装置の端部の断面図
【図１９】本発明の実施形態７に係る液晶表示装置における短辺方向に沿って切断した断面図
【図２０】液晶表示装置における長辺方向に沿って切断した断面図
【図２１】本発明の実施形態８に係る波長変換シートの断面図
【図２２】本発明の実施形態９に係る波長変換シートにおけるＹ１端からＹ２端に至るまでの単位面積当たりの蛍光体の含有量の変化を示すグラフ
【図２３】本発明の実施形態１０に係る波長変換シートにおけるＹ１端からＹ２端に至るまでの単位面積当たりの蛍光体の含有量の変化を示すグラフ
【発明を実施するための形態】
【００２５】
＜実施形態１＞
本発明の実施形態１を図１から図７によって説明する。本実施形態では、バックライト装置１２及びそれを用いた液晶表示装置１０について例示する。なお、各図面の一部にはＸ軸、Ｙ軸及びＺ軸を示しており、各軸方向が各図面で示した方向となるように描かれている。また、図４及び図５などに示す上側を表側とし、同図下側を裏側とする。
【００２６】
本実施形態に係るテレビ受信装置１０ＴＶは、図１に示すように、液晶表示装置１０と、当該液晶表示装置１０を挟むようにして収容する表裏両キャビネット１０Ｃａ，１０Ｃｂと、電源１０Ｐと、テレビ信号を受信するチューナー（受信部）１０Ｔと、スタンド１０Ｓと、を備えて構成される。液晶表示装置（表示装置）１０は、全体として横長（長手）の方形状（矩形状）をなし、縦置き状態で収容されている。この液晶表示装置１０は、図２に示すように、画像を表示する表示パネルである液晶パネル１１と、液晶パネル１１に表示のための光を供給する外部光源であるバックライト装置（照明装置）１２と、を備え、これらが枠状のベゼル１３などにより一体的に保持されるようになっている。
【００２７】
次に、液晶表示装置１０を構成する液晶パネル１１及びバックライト装置１２について順次に説明する。このうち、液晶パネル（表示パネル）１１は、平面に視て横長な方形状をなしており、一対のガラス基板が所定のギャップを隔てた状態で貼り合わせられるとともに、両ガラス基板間に電界印加に伴って光学特性が変化する物質である液晶分子を含む液晶層（図示せず）が封入された構成とされる。一方のガラス基板（アレイ基板、アクティブマトリクス基板）の内面側には、互いに直交するソース配線とゲート配線とに接続されたスイッチング素子（例えばＴＦＴ）と、ソース配線とゲート配線とに囲まれた方形状の領域に配されてスイッチング素子に接続される画素電極と、がマトリクス状に平面配置される他、配向膜等が設けられている。他方のガラス基板（対向基板、ＣＦ基板）の内面側には、Ｒ（赤色），Ｇ（緑色），Ｂ（青色）等の各着色部が所定配列でマトリクス状に平面配置されたカラーフィルタが設けられる他、各着色部間に配されて格子状をなす遮光層（ブラックマトリクス）、画素電極と対向状をなすベタ状の対向電極、配向膜等が設けられている。なお、両ガラス基板の外面側には、それぞれ偏光板が配されている。また、液晶パネル１１における長辺方向がＸ軸方向と一致し、短辺方向がＹ軸方向と一致し、さらに厚さ方向がＺ軸方向と一致している。
【００２８】
バックライト装置１２は、図２に示すように、表側（液晶パネル１１側）に向けて開口する光出射部１４ｂを有した略箱型をなすシャーシ１４と、シャーシ１４の光出射部１４ｂを覆う形で配される光学部材（光学シート）１５と、を備える。さらに、シャーシ１４内には、光源であるＬＥＤ１７と、ＬＥＤ１７が実装されたＬＥＤ基板１８と、ＬＥＤ１７からの光を導光して光学部材１５（液晶パネル１１）へと導く導光板１９と、導光板１９などを表側から押さえるフレーム１６と、が備えられる。そして、このバックライト装置１２は、その長辺側の一対の端部のうちの一方（図２及び図３に示す手前側、図４に示す左側）の端部に、ＬＥＤ基板１８が配されており、そのＬＥＤ基板１８に実装された各ＬＥＤ１７が液晶パネル１１における長辺側の一端部寄りに偏在していることになる。このように、本実施形態に係るバックライト装置１２は、ＬＥＤ１７の光が導光板１９に対して片側からのみ入光される片側入光タイプのエッジライト型（サイドライト型）とされている。続いて、バックライト装置１２の各構成部品について詳しく説明する。
【００２９】
シャーシ１４は、金属製とされ、図２及び図３に示すように、液晶パネル１１と同様に横長の方形状をなす底部１４ａと、底部１４ａの各辺の外端からそれぞれ立ち上がる側部１４ｃと、からなり、全体としては表側に向けて開口した浅い略箱型をなしている。シャーシ１４（底部１４ａ）は、その長辺方向がＸ軸方向（水平方向）と一致し、短辺方向がＹ軸方向（鉛直方向）と一致している。また、側部１４ｃには、フレーム１６及びベゼル１３が固定可能とされる。
【００３０】
光学部材１５は、図２に示すように、液晶パネル１１及びシャーシ１４と同様に平面に視て横長の方形状をなしている。光学部材１５は、シャーシ１４の光出射部１４ｂを覆うとともに、液晶パネル１１と導光板１９との間に介在する形で配されている。光学部材１５は、シート状をなしていて合計で４枚が備えられている。具体的には、光学部材１５は、ＬＥＤ１７から発せられた光（一次光）を他の波長の光（二次光）へと波長変換する波長変換シート（波長変換部材）２０と、光に等方性集光作用を付与するマイクロレンズシート２１と、光に異方性集光作用を付与するプリズムシート２２と、光を偏光反射する反射型偏光シート２３と、から構成される。このうち、波長変換シート２０は、図４及び図５に示すように、導光板１９に対してその表側に直接載せられるのに対し、マイクロレンズシート２１、プリズムシート２２、及び反射型偏光シート２３は、互いに積層されるとともにそれらの外縁部がフレーム１６に対してその表側に載せられている。つまり、これらマイクロレンズシート２１、プリズムシート２２、及び反射型偏光シート２３は、波長変換シート２０に対して表側、つまり光出射側にフレーム１６（詳しくは後述する枠状部１６ａ）分の間隔を空けて対向状をなしている。なお、波長変換シート２０の具体的な構成に関しては、後に改めて詳しく説明する。
【００３１】
マイクロレンズシート２１は、基材と、基材における表側の板面に設けられるマイクロレンズ部と、を有しており、このうちのマイクロレンズ部が、Ｘ軸方向及びＹ軸方向に沿って多数ずつマトリクス状（行列状）に並ぶ形で平面配置される単位マイクロレンズから構成されている。単位マイクロレンズは、平面に視て略円形をなすとともに全体として略半球状をなす凸レンズとされる。このような構成により、マイクロレンズシート２１は、光に対し、Ｘ軸方向及びＹ軸方向について等方的に集光作用（異方性集光作用）を付与するものとされる。プリズムシート２２は、基材と、基材における表側の板面に設けられるプリズム部と、を有しており、このうちのプリズム部が、Ｘ軸方向に沿って延在するとともにＹ軸方向に沿って多数並んで配される単位プリズムから構成されている。単位プリズムは、平面に視てＸ軸方向に並行するレール状（線状）をなすとともにＹ軸方向に沿った断面形状が略二等辺三角形状とされる。このような構成により、プリズムシート２２は、光に対し、Ｙ軸方向（単位プリズムの並び方向、単位プリズムの延在方向と直交する方向）について選択的に集光作用（異方性集光作用）を付与するものとされる。反射型偏光シート２３は、光を偏光反射する反射型偏光フィルムと、反射型偏光フィルムを表裏から挟み込む一対の拡散フィルムと、から構成される。反射型偏光フィルムは、例えば屈折率の互いに異なる層を交互に積層した多層構造を有しており、光に含まれるｐ波を透過させ、ｓ波を裏側へ反射させる構成となっている。反射型偏光フィルムによって反射されたｓ波は、後述する第２反射シート２５などによって、再度表側に反射され、その際に、ｓ波とｐ波に分離する。このように、反射型偏光シート２３は、反射型偏光フィルムを備えることで、本来ならば、液晶パネル１１の偏光板によって吸収されるｓ波を、裏側（第２反射シート２５側）へ反射させることで再利用することができ、光の利用効率（ひいては輝度）を高めることができる。一対の拡散フィルムは、ポリカーボネートなどの合成樹脂材料からなり、反射型偏光フィルム側とは反対側の板面にエンボス加工が施されることで、光に拡散作用を付与するものとされる。
【００３２】
フレーム１６は、図２に示すように、導光板１９及び光学部材１５の外周縁部に沿って延在する横長の枠状部（額縁状部）１６ａを有しており、その枠状部１６ａにより導光板１９の外周縁部を、後述する波長変換シート２０を介してほぼ全周にわたって表側から押さえるものとされる。この枠状部１６ａのうち一方の長辺部における裏側の面、つまり導光板１９及びＬＥＤ基板１８（ＬＥＤ１７）との対向面には、図４に示すように、光を反射させる第１反射シート（フレーム側反射シート）２４が取り付けられている。第１反射シート２４は、表面が光の反射性に優れた白色を呈するとともに、枠状部１６ａの一方の長辺部におけるほぼ全長にわたって延在する大きさを有しており、導光板１９におけるＬＥＤ１７側の端部に直接当接されて導光板１９の上記端部とＬＥＤ基板１８とを一括して表側から覆うものとされる。フレーム１６の枠状部１６ａは、光学部材１５を構成するマイクロレンズシート２１と波長変換シート２０との間に介在するとともに、マイクロレンズシート２１の外周縁部を裏側から支持するものとされ、それによりマイクロレンズシート２１が波長変換シート２０との間に枠状部１６ａ分の間隔を空けた位置に保たれる。さらには、フレーム１６は、枠状部１６ａから表側に向けて突出するとともに、液晶パネル１１における外周縁部を裏側から支持する液晶パネル支持部１６ｂを有している。
【００３３】
次に、ＬＥＤ１７及びＬＥＤ１７が実装されるＬＥＤ基板１８について説明する。ＬＥＤ１７は、図３及び図４に示すように、ＬＥＤ基板１８上に表面実装されるとともにその発光面１７ａがＬＥＤ基板１８側とは反対側を向いた、いわゆる頂面発光型とされている。詳しくは、ＬＥＤ１７は、発光源である青色ＬＥＤ素子（青色発光素子、青色ＬＥＤチップ）を、封止材によってケース内に封止してなるものとされる。つまり、このＬＥＤ１７は、青色の単色光を発する青色ＬＥＤとされている。そして、ＬＥＤ１７から発せられた青色の光は、その一部が詳しくは後述する波長変換シート２０によって緑色の光や赤色の光に波長変換されるようになっており、これら波長変換された緑色の光及び赤色の光（二次光）と、ＬＥＤ１７の青色の光（一次光）と、の加法混色によりバックライト装置１２の出射光が概ね白色を呈するものとされる。ＬＥＤ１７に備わる青色ＬＥＤ素子は、例えばＩｎＧａＮなどの半導体材料からなる半導体であり、順方向に電圧が印加されることで青色の波長領域（約４２０ｎｍ〜約５００ｎｍ）に含まれる波長の青色の単色光を発光するものとされる。つまり、ＬＥＤ１７の発光光は、この青色ＬＥＤ素子の発光光と同色の単色光とされる。この青色ＬＥＤ素子は、図示しないリードフレームによってケース外に配されたＬＥＤ基板１８における配線パターンに接続される。
【００３４】
ＬＥＤ基板１８は、図３及び図４に示すように、シャーシ１４の長辺方向（Ｘ軸方向、導光板１９における入光端面１９ｂの長手方向）に沿って延在する細長い板状をなすとともに、その板面をＸ軸方向及びＺ軸方向に並行した姿勢、つまり液晶パネル１１及び導光板１９（光学部材１５）の板面と直交させた姿勢でシャーシ１４内に収容されている。すなわち、このＬＥＤ基板１８は、板面における長辺方向（長さ方向）がＸ軸方向と、短辺方向（幅方向）がＺ軸方向と、それぞれ一致し、さらには板面と直交する板厚方向がＹ軸方向と一致した姿勢とされる。ＬＥＤ基板１８は、導光板１９とシャーシ１４における一方の長辺側の側部１４ｃとの間に介在するよう配され、シャーシ１４に対してはＺ軸方向に沿って表側から収容されるようになっている。ＬＥＤ基板１８は、ＬＥＤ１７が実装される実装面１８ａとは反対側の板面がシャーシ１４における長辺側の側部１４ｃの内面に接する形でそれぞれ取り付けられている。従って、ＬＥＤ基板１８に実装された各ＬＥＤ１７の発光面１７ａが、後述する導光板１９の長辺側の端面（入光端面１９ｂ）と対向状をなすとともに、各ＬＥＤ１７における光軸、つまり発光強度が最も高い光の進行方向がＹ軸方向（液晶パネル１１の板面に並行する方向、ＬＥＤ１７と導光板１９との並び方向、入光端面１９ｂの法線方向）とほぼ一致する。
【００３５】
ＬＥＤ基板１８は、図３及び図４に示すように、その内側、つまり導光板１９側を向いた板面（導光板１９との対向面）が、上記した構成のＬＥＤ１７が表面実装された実装面１８ａとされる。ＬＥＤ１７は、ＬＥＤ基板１８の実装面１８ａにおいて、その長さ方向（Ｘ軸方向）に沿って複数が所定の間隔を空けつつ一列に（直線的に）並んで配置されている。つまり、ＬＥＤ１７は、バックライト装置１２における一方の長辺側の端部において長辺方向に沿って複数が間欠的に並んで配置されている、と言える。従って、ＬＥＤ１７の並び方向は、ＬＥＤ基板１８の長さ方向（Ｘ軸方向）と一致していることになる。Ｘ軸方向について隣り合うＬＥＤ１７間の間隔、つまりＬＥＤ１７の配列間隔（配列ピッチ）は、ほぼ等しいものとされており、別言するとＬＥＤ１７は等ピッチ配列されている、と言える。また、ＬＥＤ基板１８の実装面１８ａには、Ｘ軸方向に沿って延在するとともにＬＥＤ１７群を横切って隣り合うＬＥＤ１７同士を直列に接続する、金属膜（銅箔など）からなる配線パターン（図示せず）が形成されており、この配線パターンの端部に形成された端子部に対して図示しないＬＥＤ駆動回路基板が同じく図示しない配線部材などを介して電気的に接続されることで、各ＬＥＤ１７に駆動電力を供給することが可能とされる。このＬＥＤ基板１８は、板面の片面のみが実装面１８ａとされる片面実装タイプとされている。このＬＥＤ基板１８の基材は、例えばアルミニウムなどの金属製とされ、その表面に絶縁層を介して既述した配線パターン（図示せず）が形成されている。なお、ＬＥＤ基板１８の基材に用いる材料としては、合成樹脂やセラミックなどの絶縁材料を用いることも可能である。
【００３６】
導光板１９は、屈折率が空気よりも十分に高く且つほぼ透明な（透光性に優れた）合成樹脂材料（例えばＰＭＭＡなどのアクリル樹脂材料など）からなる。導光板１９は、図２及び図３に示すように、液晶パネル１１及びシャーシ１４と同様に平面に視て横長の方形状をなすとともに光学部材１５よりも厚みが大きな板状をなしており、その板面における長辺方向がＸ軸方向と、短辺方向がＹ軸方向とそれぞれ一致し、且つ板面と直交する板厚方向がＺ軸方向と一致している。導光板１９は、図４及び図５に示すように、シャーシ１４内において液晶パネル１１及び光学部材１５の直下位置に配されており、その外周端面のうちの一方（図２及び図３に示す手前側、図４に示す左側）の長辺側の端面がシャーシ１４における長辺側の一端部に配されたＬＥＤ基板１８の各ＬＥＤ１７とそれぞれ対向状をなしている。従って、ＬＥＤ１７（ＬＥＤ基板１８）と導光板１９との並び方向がＹ軸方向と一致するのに対して、光学部材１５（液晶パネル１１）と導光板１９との並び方向がＺ軸方向と一致しており、両並び方向が互いに直交するものとされる。そして、導光板１９は、ＬＥＤ１７からＹ軸方向に向けて発せられた光を導入するとともに、その光を内部で伝播させつつ光学部材１５側（表側）へ向くよう立ち上げて出射させる機能を有する。
【００３７】
導光板１９における一対の板面のうちの表側の板面が、図４及び図５に示すように、内部の光を光学部材１５及び液晶パネル１１に向けて出射させる出光板面（光出射面）１９ａとなっている。導光板１９における板面に対して隣り合う外周端面のうち、Ｘ軸方向（ＬＥＤ１７の並び方向、ＬＥＤ基板１８の長辺方向）に沿って長手状をなす長辺側の一対の端面のうち、一方（図２及び図３に示す手前側）の長辺側の端面は、ＬＥＤ１７（ＬＥＤ基板１８）と所定の空間を空けて対向状をなしており、これがＬＥＤ１７から発せられた光が直接的に入射される入光端面（光入射面）１９ｂとなっている。この入光端面１９ｂは、ＬＥＤ１７と対向状をなしていることから、「ＬＥＤ対向端面（光源対向端面）」であるとも言える。入光端面１９ｂは、Ｘ軸方向及びＺ軸方向に沿って並行する面とされ、出光板面１９ａに対して略直交する面とされる。これに対して、導光板１９の上記外周端面のうち、入光端面１９ｂを除いた部分（他方の長辺側の端面及び短辺側の一対の端面）が、ＬＥＤ１７から発せられた光が直接的に入射されることがない非入光端面１９ｄとされる。この非入光端面１９ｄは、ＬＥＤ１７と対向状をなしていないことから、「ＬＥＤ非対向端面（光源非対向端面）」であるとも言える。非入光端面１９ｄは、導光板１９の上記外周端面における長辺側の一対の端面のうちの他方の端面、つまり上記した入光端面１９ｂとは反対側の端面から構成される非入光反対端面１９ｄ１と、入光端面１９ｂ及び非入光反対端面１９ｄ１に対して隣り合う短辺側の一対の端面から構成される一対の非入光側端面１９ｄ２と、からなる。なお、本実施形態では、ＬＥＤ非対向端面のことを「非入光端面１９ｄ」として説明しているが、光が全く入射しないことまでを意味するものではなく、例えば非入光端面１９ｄから一旦外側に漏れ出した光がシャーシ１４の側部１４ｃによって反射されて戻された場合にはその戻される光が非入光端面１９ｄに入射することもあり得る。
【００３８】
導光板１９における裏側、つまり出光板面１９ａとは反対側の反対板面１９ｃに対しては、第２反射シート（反射部材、導光板側反射シート）２５が裏側に重なる形で配されている。第２反射シート２５は、表面が光の反射性に優れた白色を呈していて、導光板１９内を伝播して反対板面１９ｃに達した光を反射することでその光を表側、つまり出光板面１９ａへ向かうよう立ち上げるものとされる。第２反射シート２５は、導光板１９の反対板面１９ｃをほぼ全域にわたって覆う形で配されている。第２反射シート２５は、平面に視てＬＥＤ基板１８（ＬＥＤ１７）と重畳する範囲にまで拡張されるとともに、表側の第１反射シート２４との間でＬＥＤ基板１８（ＬＥＤ１７）を挟み込む形で配されている。これにより、ＬＥＤ１７からの光を両反射シート２４，２５間で繰り返し反射することで、入光端面１９ｂに対して効率的に入射させることができる。この導光板１９の反対板面１９ｃには、導光板１９内の光を出光板面１９ａに向けて反射させることで出光板面１９ａから出射を促すための光反射部からなる光反射パターン（図示せず）が形成されている。この光反射パターンを構成する光反射部は、多数の光反射ドットからなるものとされており、その分布密度が入光端面１９ｂ（ＬＥＤ１７）からの距離に応じて変化するものとされる。具体的には、光反射部を構成する光反射ドットの分布密度は、Ｙ軸方向について入光端面１９ｂから遠ざかるほど（非入光反対端面１９ｄ１に近づくほど）高くなり、逆に入光端面１９ｂに近づくほど（非入光反対端面１９ｄ１から遠ざかるほど）低くなる傾向にあり、それにより出光板面１９ａからの出射光が面内において均一な分布となるよう制御されている。
【００３９】
次に、波長変換シート２０に関して詳しく説明する。波長変換シート２０は、図４及び図５に示すように、導光板１９の出光板面１９ａに対して表側に直接重なる形で配されている。波長変換シート２０は、その外周縁部が、フレーム１６の枠状部１６ａによって全周にわたって表側から押さえられる。フレーム１６の枠状部１６ａのうち、第１反射シート２４が設置された一長辺部を除く３つの辺部における裏側（波長変換シート２０側）の面には、例えばポロン（登録商標）などからなる緩衝材２６が設けられている。これにより、フレーム１６から波長変換シート２０に作用する押圧力を緩和することができる。波長変換シート２０は、図６に示すように、ＬＥＤ１７からの光を波長変換するための蛍光体（波長変換物質）を含有する波長変換層（蛍光体フィルム）２０ａと、波長変換層２０ａを表裏から挟み込んでこれを保護する一対の保護層（保護フィルム）２０ｂと、から構成されている。波長変換層２０ａには、ＬＥＤ１７からの青色の単色光を励起光として、赤色の光（赤色に属する特定の波長領域の可視光線）を発する赤色蛍光体と、緑色（緑色に属する特定の波長領域の可視光線）の光を発する緑色蛍光体と、が分散配合されている。波長変換層２０ａは、ほぼ透明な合成樹脂製でフィルム状をなす基材（蛍光体担体）２０ａ１に、赤色蛍光体及び緑色蛍光体を分散配合した蛍光体層２０ａ２を塗布してなるものとされる。保護層２０ｂは、ほぼ透明な合成樹脂製でフィルム状をなしており、防湿性などに優れるものとされる。
【００４０】
より詳しくは、波長変換層２０ａに含有される各色の蛍光体は、いずれも励起光が青色の光とされており、次のような発光スペクトルを有している。すなわち、緑色蛍光体は、青色の光を励起光として、緑色に属する波長領域（約５００ｎｍ〜約５７０ｎｍ）の光、つまり緑色の光を蛍光光として発するものとされる。緑色蛍光体は、好ましくは、ピーク波長が緑色の光の波長範囲の中の約５３０ｎｍとされ且つ半値幅が４０ｎｍ未満とされる発光スペクトルを有する。赤色蛍光体は、青色の光を励起光として、赤色に属する波長領域（約６００ｎｍ〜約７８０ｎｍ）の光、つまり赤色の光を蛍光光として発するものとされる。赤色蛍光体は、好ましくは、ピーク波長が赤色の光の波長範囲の中の約６１０ｎｍとされ且つ半値幅が４０ｎｍ未満とされる発光スペクトルを有する。
【００４１】
このように、各色の蛍光体は、励起波長が蛍光波長よりも短波長とされるダウンコンバージョン型（ダウンシフティング型）とされている。このダウンコンバージョン型の蛍光体は、相対的に短波長で且つ高いエネルギーを持つ励起光を、相対的に長波長で且つ低いエネルギーを持つ蛍光光に変換するものとされる。従って、仮に励起波長が蛍光波長よりも長波長とされるアップコンバージョン型の蛍光体を用いた場合（量子効率が例えば２８％程度）に比べると、量子効率（光の変換効率）が３０％〜５０％程度と、より高いものとなっている。各色の蛍光体は、それぞれ量子ドット蛍光体（Quantum Dot Phosphor）とされる。量子ドット蛍光体は、ナノサイズ（例えば直径２ｎｍ〜１０ｎｍ程度）の半導体結晶中に電子・正孔や励起子を三次元空間全方位で閉じ込めることで、離散的エネルギー準位を有しており、そのドットのサイズを変えることで発光光のピーク波長（発光色）などを適宜に選択することが可能とされる。この量子ドット蛍光体の発光光（蛍光光）は、その発光スペクトルにおけるピークが急峻となってその半値幅が狭くなることから、色純度が極めて高くなるとともにその色域が広いものとなる。量子ドット蛍光体の材料としては、２価の陽イオンになるＺｎ、Ｃｄ、Ｈｇ、Ｐｂ等と２価の陰イオンになるＯ、Ｓ、Ｓｅ、Ｔｅ等とを組み合わせた材料（ＣｄＳｅ（セレン化カドミウム）、ＺｎＳ（硫化亜鉛）等）、３価の陽イオンとなるＧａ、Ｉｎ等と３価の陰イオンとなるＰ、Ａｓ、Ｓｂ等とを組み合わせた材料（ＩｎＰ（リン化インジウム）、ＧａＡｓ（ヒ化ガリウム）等）、さらにはカルコパイライト型化合物（ＣｕＩｎＳｅ2等）などがある。本実施形態では、量子ドット蛍光体の材料として、上記のうちのＣｄＳｅとＺｎＳとを併用している。また、本実施形態において用いる量子ドット蛍光体は、いわゆるコア・シェル型量子ドット蛍光体とされる。コア・シェル型量子ドット蛍光体は、量子ドットの周囲を、比較的バンドギャップの大きな半導体物質からなるシェルによって被覆した構成とされる。具体的には、コア・シェル型量子ドット蛍光体として、シグマ  アルドリッチ  ジャパン合同会社の製品である「Lumidot（登録商標）  ＣｄＳｅ／ＺｎＳ」を用いるのが好ましい。
【００４２】
ところで、本実施形態のようなエッジライト型のバックライト装置１２では、図４及び図５に示すように、導光板１９内を伝播する光の全てが出光板面１９ａから出射するとは限らず、非入光端面１９ｄからも出射され得るものとされる。特に、ＬＥＤ１７から発せられて導光板１９の入光端面１９ｂに入射されて導光板１９内を伝播され、そのまま非入光端面１９ｄから出射する光は、青色を呈するものとされる。また、導光板１９内を伝播する光には、一旦出光板面１９ａから出射した後に光学部材１５などによって反射されて再び導光板１９内に戻される再帰反射光が含まれているが、この再帰反射光は、導光板１９の中央側よりも外周側の方が反射回数、つまり波長変換シート２０の通過回数が少なくなりがちとされるため、導光板１９の外周側（非入光端面１９ｄを含む）から出射する再帰反射光は、導光板１９の中央側から出射する再帰反射光に比べてＬＥＤ１７の光の色味、つまり青色に近い色味となっている。従来では、非入光端面１９ｄから出射した光は、波長変換シートによって波長変換され難いものとされていたため、その光が例えば緩衝材２６と導光板１９との間の隙間を通って外部に漏れ出すと、バックライト装置１２の出射光が外周側でのみ青色味を帯びたものとなるおそれがあった。このように、バックライト装置１２の出射光は、外周側と中央側とで色味に差が生じ易いものとなっていた。
【００４３】
そこで、本実施形態に係るバックライト装置１２に備わる波長変換シート２０は、図７から図９に示すように、中央側部分２０ＩＰと、その周りを取り囲む枠状をなす外周側部分２０ＯＰと、に区分したとき、外周側部分２０ＯＰが、中央側部分２０ＩＰにおける単位面積当たりの蛍光体の含有量ＰＣＡ１よりも単位面積当たりの蛍光体の含有量ＰＣＡ２が多い多蛍光体部２７を有する構成とされている。外周側部分２０ＯＰは、一対の短辺部２０ＯＰ１と、一対の長辺部２０ＯＰ２と、から構成されており、全体としてほぼ一定幅で横長の枠状（無端環状）をなしている。このような構成によれば、導光板１９の外周側（外周端面を含む）から出射する光を、波長変換シート２０の外周側部分２０ＯＰが有する多蛍光体部２７によってより高い効率でもって波長変換することができる。つまり、ＬＥＤ１７から発せられて導光板１９の入光端面１９ｂに入射されて導光板１９内を伝播されてからそのまま非入光端面１９ｄから出射する青色の光や、反射回数が少ないために青色味を帯びた（青色の光に係る含有比率が高い）再帰反射光が、多蛍光体部２７を透過する際に中央側部分２０ＩＰよりも単位面積当たりの含有量ＰＣＡ２が相対的に多い緑色蛍光体及び赤色蛍光体によって緑色の光及び赤色の光へと波長変換される。これにより、非入光端面１９ｄから出射した光が例えば緩衝材２６と導光板１９との間の隙間を通って外部に漏れ出した場合でも、バックライト装置１２における中央側と外周側とで出射光の色味に差が生じ難くなり、もって色ムラの発生が抑制される。なお、図８は、波長変換シート２０における単位面積当たりの蛍光体の含有量に関して、Ｙ軸方向に沿って波長変換シート２０におけるＹ１端からＹ２端に至るまでの分布を表すグラフであり、図９は、同様に、波長変換シート２０における単位面積当たりの蛍光体の含有量に関して、Ｘ軸方向に沿って波長変換シート２０におけるＸ１端からＸ２端に至るまでの分布を表すグラフである。また、図２，図４，図５及び図７では、波長変換シート２０における単位面積当たりの蛍光体の含有量をドットの密度によって表している。つまり、図２，図４，図５及び図７におけるドットの密度が高いほど、単位面積当たりの蛍光体の含有量が多くなり、逆にドットの密度が低いほど、単位面積当たりの蛍光体の含有量が少ないものとなる。
【００４４】
詳しくは、波長変換シート２０は、図２から図５及び図７に示すように、その外形寸法（長辺寸法及び短辺寸法）が導光板１９の外形寸法よりも大きなものとされている。従って、波長変換シート２０を構成する外周側部分２０ＯＰは、導光板１９の外周端面（入光端面１９ｂ及び非入光端面１９ｄ）よりも外側に突き出す突き出し部２８を有している。波長変換シート２０を構成する中央側部分２０ＩＰは、導光板１９の外形よりも一回り小さな横長の方形状をなしている。このことから、中央側部分２０ＩＰを取り囲む外周側部分２０ＯＰは、上記した突き出し部２８と、そのすぐ内側部分と、からなるものとされており、内周端位置（中央側部分２０ＩＰとの境界位置）が導光板１９の外周端面よりも内側となり、外周端位置が導光板１９の外周端面よりも外側となっている。そして、多蛍光体部２７は、この外周側部分２０ＯＰの全域にわたって設けられている。つまり、多蛍光体部２７は、波長変換シート２０の突き出し部２８と、そのすぐ内側部分とに跨る範囲にわたって設けられている。このような構成によれば、導光板１９の外周端面から出射した光に加えて、導光板１９の出光板面１９ａにおける外端部から出射した光についても、波長変換シート２０の突き出し部２８とその内側部分とに跨る形の多蛍光体部２７によって効率的に波長変換することができ、色ムラの抑制を図る上で好適となる。なお、図３では、波長変換シート２０の外形を二点鎖線により図示している。
【００４５】
言い換えると、多蛍光体部２７は、図２から図５及び図７に示すように、波長変換シート２０の外周側部分２０ＯＰのうち、導光板１９の非入光端面１９ｄに倣う部分（非入光反対端面１９ｄ１に倣う一長辺部、及び一対の非入光側端面１９ｄ２に倣う一対の短辺部）の全域と、導光板１９の入光端面１９ｂに倣う部分（入光端面１９ｂに倣う一長辺部）の全域と、にわたって設けられており、平面に視て横長の枠状をなしている。このような構成によれば、導光板１９の非入光端面１９ｄからより多く出射されることが懸念される光に加えて、入光端面１９ｂから出射する光についても、多蛍光体部２７によって効率的に波長変換することができるから、色ムラの抑制を図る上でより一層好適となる。
【００４６】
波長変換シート２０を構成する中央側部分２０ＩＰは、図８及び図９に示すように、単位面積当たりの蛍光体の含有量ＰＣＡ１がＸ軸方向及びＹ軸方向についての位置に拘わらずほぼ一定とされる。外周側部分２０ＯＰである多蛍光体部２７は、単位面積当たりの蛍光体の含有量ＰＣＡ２が、上記した中央側部分２０ＩＰの同含有量ＰＣＡ１よりも相対的に多く、Ｘ軸方向及びＹ軸方向についての位置に拘わらずほぼ一定とされる。その上で、波長変換シート２０は、図６及び図７に示すように、多蛍光体部２７における蛍光体の分布密度が、中央側部分２０ＩＰにおける蛍光体の分布密度よりも高い構成とされる。具体的には、波長変換シート２０における波長変換層２０ａは、図７に示すように、全域にわたって蛍光体層２０ａ２の厚みがほぼ一定とされるものの、蛍光体層２０ａ２に分散配合される赤色蛍光体及び緑色蛍光体の配合比率（含有濃度）が中央側部分２０ＩＰと外周側部分２０ＯＰ（多蛍光体部２７）とで異なっており、前者よりも後者の方が相対的に高くなっている。このような構成の波長変換シート２０を製造するには以下の手法を採るのが好ましいものとされる。すなわち、例えば基材２０ａ１の表面に赤色蛍光体及び緑色蛍光体を分散配合した蛍光体塗料を塗布することで蛍光体層２０ａ２を形成する場合、基材２０ａ１のうち、中央側部分２０ＩＰには赤色蛍光体及び緑色蛍光体の配合比率が相対的に低い低配合蛍光体塗料を塗布し、外周側部分２０ＯＰ（多蛍光体部２７）には赤色蛍光体及び緑色蛍光体の配合比率が相対的に高い高配合蛍光体塗料を塗布すればよい。
【００４７】
本実施形態は以上のような構造であり、続いてその作用を説明する。上記した構成の液晶表示装置１０の電源をＯＮすると、図示しないコントロール基板のパネル制御回路により液晶パネル１１の駆動が制御されるとともに、図示しないＬＥＤ駆動回路基板のＬＥＤ駆動回路からの駆動電力がＬＥＤ基板１８の各ＬＥＤ１７に供給されることでその駆動が制御される。各ＬＥＤ１７からの光は、導光板１９により導光されることで、光学部材１５を介して液晶パネル１１に照射され、もって液晶パネル１１に所定の画像が表示される。以下、バックライト装置１２に係る作用について詳しく説明する。
【００４８】
各ＬＥＤ１７を点灯させると、各ＬＥＤ１７から出射した光は、図４に示すように、導光板１９における入光端面１９ｂに入射する。ここで、ＬＥＤ１７と入光端面１９ｂとの間には、所定の空間が保有されているものの、その空間が表側の第１反射シート２４と裏側の第２反射シート２５の延出部分との間に挟み込まれているから、ＬＥＤ１７からの光は両反射シート２４，２５の対向部分により繰り返し反射されることで、効率的に入光端面１９ｂに入射される。入光端面１９ｂに入射した光は、導光板１９における外部の空気層との界面にて全反射されたり、第２反射シート２５により反射されるなどして導光板１９内を伝播されつつ、光反射パターンの光反射部にて散乱反射されることで、出光板面１９ａに対する入射角が臨界角を超えない光となって出光板面１９ａからの出射が促されるようになっている。導光板１９の出光板面１９ａを出射した光は、各光学部材１５を透過する過程でそれぞれ光学作用を付与された上で液晶パネル１１に対して照射されるのであるが、その一部については各光学部材１５にて再帰反射されることで導光板１９内に戻された後に再帰反射光として出光板面１９ａなどから出射してバックライト装置１２の出射光となる。
【００４９】
続いて、光学部材１５の光学作用について詳しく説明する。導光板１９の出光板面１９ａを出射した青色の光は、図４に示すように、出光板面１９ａのすぐ表側に重なる波長変換シート２０に含有される緑色蛍光体及び赤色蛍光体により緑色の光及び赤色の光（二次光）へと波長変換される。この波長変換された緑色の光及び赤色の光、つまり黄色の光（二次光）と、ＬＥＤ１７の青色の光（一次光）と、によって概ね白色の照明光が得られることになる。これらＬＥＤ１７の青色の光（一次光）と、波長変換された緑色の光及び赤色の光（二次光）と、は、マイクロレンズシート２１にてＸ軸方向及びＹ軸方向について等方的に集光作用（等方性集光作用）が付与された後に、プリズムシート２２にてＹ軸方向について選択的に集光作用（異方性集光作用）が付与される。その後、プリズムシート２２を出射した光は、反射型偏光シート２３にて特定の偏光光（ｐ波）が選択的に透過されて液晶パネル１１に向けて出射するのに対し、それとは異なる特定の偏光光（ｓ波）が選択的に裏側へと反射される。反射型偏光シート２３にて反射されたｓ波やプリズムシート２２及びマイクロレンズシート２１にて集光作用を付与されずに裏側へと反射された光などは、導光板１９内に戻されて導光板１９内を伝播する過程で第２反射シート２５にて再び反射されるなどして再び出光板面１９ａなどから表側へと出射されることになる。
【００５０】
ここで、ＬＥＤ１７から発せられて導光板１９内を伝播する青色の光（一次光）は、図４及び図５に示すように、その全てが出光板面１９ａから出射するとは限らず、一部については導光板１９の外周端面のうち非入光端面１９ｄからそのまま出射し得るものとされる。また、導光板１９内を伝播する光には、一旦出光板面１９ａから出射した後に再び導光板１９内に戻される再帰反射光が含まれているが、この再帰反射光は、導光板１９の中央側よりも外周側の方が反射回数（再帰反射回数）、つまり波長変換シート２０の通過回数が少なくなりがちとされるため、導光板１９の外周側（外周端面を含む）から出射する再帰反射光は、導光板１９の中央側から出射する再帰反射光に比べてＬＥＤ１７の青色の光の色味に近い青色味を帯びたものとなっている。その点、本実施形態に係る波長変換シート２０は、図７から図９に示すように、外周側部分２０ＯＰが中央側部分２０ＩＰよりも相対的に単位面積当たりの蛍光体の含有量ＰＣＡ２が多い多蛍光体部２７を有しているから、図４及び図５に示すように、導光板１９の外周側から出射する光を、外周側部分２０ＯＰが有する多蛍光体部２７によってより高い効率でもって波長変換することができる。つまり、ＬＥＤ１７から発せられて導光板１９の入光端面１９ｂに入射されて導光板１９内を伝播されてからそのまま非入光端面１９ｄから出射する青色の光（一次光）や、反射回数が少ないために青色味を帯びていて（青色の光に係る含有比率が高い）非入光端面１９ｄや出光板面１９ａから出射する再帰反射光は、中央側部分２０ＩＰよりも単位面積当たりの緑色蛍光体及び赤色蛍光体の含有量ＰＣＡ２が相対的に多い多蛍光体部２７を透過する際に、緑色蛍光体及び赤色蛍光体によって高い波長変換効率でもって緑色の光及び赤色の光（二次光）へと波長変換される。これにより、非入光端面１９ｄから出射した光が例えば緩衝材２６と導光板１９との間の隙間を通って外部に漏れ出した場合でも、バックライト装置１２における中央側と外周側とで出射光の色味に差が生じ難くなり、もって色ムラの発生が抑制される。
【００５１】
しかも、多蛍光体部２７は、図４及び図５に示すように、波長変換シート２０のうち導光板１９の外周端面から外側に突き出す突き出し部２８に設けられるのに加えて、突き出し部２８のすぐ内側部分にも設けられているので、導光板１９の外周端面から出射した光をより高い波長変換効率でもって波長変換することができ、もって色ムラの発生をより好適に抑制することができる。さらには、多蛍光体部２７は、波長変換シート２０を構成する外周側部分２０ＯＰの全域、つまり導光板１９の非入光端面１９ｄに倣う部分の全域に加えて入光端面１９ｂに倣う部分の全域にわたって設けられているので、導光板１９の非入光端面１９ｄから出射する相対的に多くの光に加えて、入光端面１９ｂから出射する光についても高い波長変換効率でもって波長変換することができ、もって色ムラの発生を一層好適に抑制することができる。
【００５２】
以上説明したように本実施形態のバックライト装置（照明装置）１２は、ＬＥＤ（光源）１７と、外周端面の少なくとも一部にＬＥＤ１７からの光が入射される入光端面１９ｂが有され、板面に光を出射させる出光板面１９ａが有される導光板１９と、導光板１９の出光板面１９ａに重なる形で配されＬＥＤ１７からの光を波長変換する蛍光体を含有する波長変換シート（波長変換部材）２０であって、外周側部分２０ＯＰの少なくとも一部が中央側部分２０ＩＰよりも単位面積当たりの蛍光体の含有量ＰＣＡ２が多くなる多蛍光体部２７を有する波長変換シート２０と、を備える。
【００５３】
このようにすれば、ＬＥＤ１７から発せられた光は、導光板１９の外周端面のうちの入光端面１９ｂに入射されて導光板１９内を伝播された後に出光板面１９ａから出射される。導光板１９の出光板面１９ａから出射された光は、出光板面１９ａに重ねられる波長変換シート２０に含有される蛍光体によって波長変換される。ここで、導光板１９内を伝播する光は、その全てが出光板面１９ａから出射するとは限らず、一部については導光板１９の外周端面から出射し得るものとされる。また、導光板１９内を伝播する光には、一旦出光板面１９ａから出射した後に再び導光板１９内に戻される再帰反射光が含まれているが、この再帰反射光は、導光板１９の中央側よりも外周側の方が反射回数が少なくなりがちとされるため、導光板１９の外周側（外周端面を含む）から出射する再帰反射光は、導光板１９の中央側から出射する再帰反射光に比べてＬＥＤ１７の光の色味に近い色味となっている。
【００５４】
その点、波長変換シート２０は、その外周側部分２０ＯＰの少なくとも一部が、中央側部分２０ＩＰよりも単位面積当たりの蛍光体の含有量ＰＣＡ２が多くなる多蛍光体部２７を有しているから、導光板１９の外周側（外周端面を含む）から出射する光の少なくとも一部を多蛍光体部２７によってより高い効率でもって波長変換することができる。これにより、当該バックライト装置１２における中央側と外周側とで出射光の色味に差が生じ難くなるので、色ムラの発生が抑制される。
【００５５】
また、波長変換シート２０は、外周側部分２０ＯＰが導光板１９の外周端面よりも外側に突き出す突き出し部２８を有し、少なくとも突き出し部２８が多蛍光体部２７を有する。このようにすれば、導光板１９の外周端面から出射した光を、波長変換シート２０の突き出し部２８が有する多蛍光体部２７によって効率的に波長変換することができ、色ムラの抑制を図る上で好適となる。
【００５６】
また、波長変換シート２０は、外周側部分２０ＯＰのうち突き出し部２８とその内側部分とに跨る形で多蛍光体部２７を有する。このようにすれば、導光板１９の外周端面から出射した光に加えて、導光板１９の出光板面１９ａにおける外端部から出射した光についても、波長変換シート２０の突き出し部２８とその内側部分とに跨る形の多蛍光体部２７によって効率的に波長変換することができ、色ムラの抑制を図る上で好適となる。
【００５７】
また、導光板１９は、外周端面のうち入光端面１９ｂを除いた部分が、ＬＥＤ１７からの光が直接入射されることのない非入光端面１９ｄとされており、波長変換シート２０は、外周側部分２０ＯＰのうち非入光端面１９ｄに倣う部分の少なくとも一部が多蛍光体部２７を有する。ＬＥＤ１７から発せられて導光板１９の入光端面１９ｂに入射してから導光板１９内を伝播する光は、導光板１９の外周端面のうち、特に非入光端面１９ｄからより多く出射するものとされる。その点、波長変換シート２０の外周側部分２０ＯＰのうち非入光端面１９ｄに倣う部分の少なくとも一部が多蛍光体部２７を有しているから、非入光端面１９ｄから出射する光を多蛍光体部２７によって効率的に波長変換することができ、もって色ムラの抑制を図る上で好適となる。
【００５８】
また、波長変換シート２０は、外周側部分２０ＯＰのうち非入光端面１９ｄに倣う部分の全域が多蛍光体部２７とされる。このようにすれば、導光板１９の非入光端面１９ｄから出射する光を多蛍光体部２７によって一層効率的に波長変換することができるから、色ムラの抑制を図る上で一層好適となる。
【００５９】
また、波長変換シート２０は、外周側部分２０ＯＰの全域が多蛍光体部２７とされる。このようにすれば、導光板１９の外周端面から出射する光を多蛍光体部２７によってより一層効率的に波長変換することができるから、色ムラの抑制を図る上でより一層好適となる。
【００６０】
また、波長変換シート２０は、多蛍光体部２７における蛍光体の分布密度が、中央側部分２０ＩＰにおける蛍光体の分布密度よりも高い。このようにすれば、波長変換シート２０の製造に際して、例えば外周側部分２０ＯＰの少なくとも一部と、中央側部分２０ＩＰと、で分布密度が異なる蛍光体を塗布するなどにより多蛍光体部２７を設けることができる。
【００６１】
また、ＬＥＤ１７は、青色の光を発するものとされており、波長変換シート２０は、蛍光体として、青色の光を緑色の光に波長変換する緑色蛍光体及び青色の光を赤色の光に波長変換する赤色蛍光体と、青色の光を黄色の光に波長変換する黄色蛍光体と、の少なくともいずれか一方を含有する。このようにすれば、ＬＥＤ１７から発せられた青色の光は、波長変換シート２０に緑色蛍光体及び赤色蛍光体が含有される場合は緑色の光及び赤色の光に、黄色蛍光体が含有される場合は黄色の光に、波長変換される。ここで、導光板１９の外周側から出射する光が青色味を帯びたものであっても、その光の少なくとも一部を多蛍光体部２７によってより高い効率でもって緑色の光及び赤色の光または黄色の光に波長変換することができるので、色ムラの発生が抑制される。
【００６２】
また、波長変換シート２０は、蛍光体として量子ドット蛍光体を含有する。このようにすれば、波長変換シート２０による光の波長変換効率がより高いものとなるとともに、波長変換された光の色純度が高いものとなる。
【００６３】
本実施形態に係る液晶表示装置１０は、上記記載のバックライト装置１２と、バックライト装置１２から照射される光を利用して画像を表示する液晶パネル（表示パネル）１１と、を備える。このような構成の液晶表示装置１０によれば、バックライト装置１２の出射光が色ムラの発生が抑制されたものとなっているから、表示品位に優れた表示を実現することができる。
【００６４】
本実施形態に係るテレビ受信装置１０ＴＶは、上記記載の液晶表示装置１０を備える。このようなテレビ受信装置１０ＴＶによれば、液晶表示装置１０の表示品位が優れたものとされているから、表示品位に優れたテレビ画像の表示を実現することができる。
【００６５】
＜実施形態２＞
本発明の実施形態２を図１０から図１２によって説明する。この実施形態２では、多蛍光体部１２７における単位面積当たりの蛍光体の含有量に係る分布を変更したものを示す。なお、上記した実施形態１と同様の構造、作用及び効果について重複する説明は省略する。
【００６６】
本実施形態に係る多蛍光体部１２７は、図１０に示すように、波長変換シート１２０を構成する外周側部分１２０ＯＰにおいて、各辺部１２０ＯＰ１，１２０ＯＰ２における延在方向についての位置によって単位面積当たりの蛍光体の含有量が変化するものとされる。詳しくは、全域が多蛍光体部１２７である外周側部分１２０ＯＰを構成する短辺部１２０ＯＰ１は、図１０及び図１１に示すように、その延在方向（Ｙ軸方向）についての両端部１２０ＯＰ１Ａにおける単位面積当たりの蛍光体の含有量ＰＣＡ２が、中央部１２０ＯＰ１Ｂにおける単位面積当たりの蛍光体の含有量ＰＣＡ３よりも相対的に多くなっている。同様に、外周側部分１２０ＯＰを構成する長辺部１２０ＯＰ２は、図１０及び図１２に示すように、その延在方向（Ｘ軸方向）についての両端部１２０ＯＰ２Ａにおける単位面積当たりの蛍光体の含有量ＰＣＡ２が、中央部１２０ＯＰ２Ｂにおける単位面積当たりの蛍光体の含有量ＰＣＡ３よりも相対的に多くなっている。つまり、波長変換シート１２０を構成する外周側部分１２０ＯＰは、平面に視た四隅の各角部付近における単位面積当たりの蛍光体の含有量ＰＣＡ２が最も多くなっている。
【００６７】
ここで、導光板の外周端面から出射する光の量は、波長変換シート１２０の外周側部分１２０ＯＰが有する各辺部１２０ＯＰ１，１２０ＯＰ２の延在方向についての端部１２０ＯＰ１Ａ，１２０ＯＰ２Ａ付近の方が、中央部１２０ＯＰ１Ｂ，１２０ＯＰ２Ｂ付近よりも多くなる傾向にある。その点、多蛍光体部１２７は、各辺部１２０ＯＰ１，１２０ＯＰ２の延在方向についての端部１２０ＯＰ１Ａ，１２０ＯＰ２Ａが中央部１２０ＯＰ１Ｂ，１２０ＯＰ２Ｂよりも単位面積当たりの蛍光体の含有量ＰＣＡ２が多くなる構成とされているので、導光板の外周端面のうち、波長変換シート１２０の外周側部分１２０ＯＰが有する各辺部１２０ＯＰ１，１２０ＯＰ２における延在方向についての端部１２０ＯＰ１Ａ，１２０ＯＰ２Ａ付近から出射する光を多蛍光体部１２７においてより多く含まれる蛍光体によって効率的に波長変換することができ、もって色ムラの抑制を図る上で好適となる。なお、外周側部分１２０ＯＰを構成する各辺部１２０ＯＰ１，１２０ＯＰ２における延在方向についての中央部１２０ＯＰ１Ｂ，１２０ＯＰ２Ｂは、単位面積当たりの蛍光体の含有量ＰＣＡ３が、中央側部分１２０ＩＰにおける単位面積当たりの蛍光体の含有量ＰＣＡ１（図８及び図９を参照）より多いものの、端部１２０ＯＰ１Ａ，１２０ＯＰ２Ａにおける単位面積当たりの蛍光体の含有量ＰＣＡ２よりは少ないものとされる。
【００６８】
以上説明したように本実施形態によれば、波長変換シート１２０は、外周側部分１２０ＯＰが直線的に延在する辺部１２０ＯＰ１，１２０ＯＰ２を有し、辺部１２０ＯＰ１，１２０ＯＰ２が多蛍光体部１２７を有していて多蛍光体部１２７のうち辺部１２０ＯＰ１，１２０ＯＰ２の延在方向についての端部１２０ＯＰ１Ａ，１２０ＯＰ２Ａが中央部１２０ＯＰ１Ｂ，１２０ＯＰ２Ｂよりも単位面積当たりの蛍光体の含有量ＰＣＡ２が多くなる。導光板の外周端面から出射する光の量は、波長変換シート１２０の外周側部分１２０ＯＰが有する辺部１２０ＯＰ１，１２０ＯＰ２の延在方向についての端部１２０ＯＰ１Ａ，１２０ＯＰ２Ａ付近の方が、中央部１２０ＯＰ１Ｂ，１２０ＯＰ２Ｂ付近よりも多くなる傾向にある。その点、多蛍光体部１２７は、辺部１２０ＯＰ１，１２０ＯＰ２の延在方向についての端部１２０ＯＰ１Ａ，１２０ＯＰ２Ａが中央部１２０ＯＰ１Ｂ，１２０ＯＰ２Ｂよりも単位面積当たりの蛍光体の含有量ＰＣＡ２が多くなる構成とされているので、導光板の外周端面のうち、波長変換シート１２０の外周側部分１２０ＯＰが有する辺部１２０ＯＰ１，１２０ＯＰ２における延在方向についての端部１２０ＯＰ１Ａ，１２０ＯＰ２Ａ付近から出射する光を多蛍光体部１２７においてより多く含まれる蛍光体によって効率的に波長変換することができ、もって色ムラの抑制を図る上で好適となる。
【００６９】
＜実施形態３＞
本発明の実施形態３を図１３または図１４によって説明する。この実施形態３では、上記した実施形態１から多蛍光体部２２７の形成範囲を変更したものを示す。なお、上記した実施形態１と同様の構造、作用及び効果について重複する説明は省略する。
【００７０】
本実施形態に係る多蛍光体部２２７は、図１３に示すように、波長変換シート２２０を構成する外周側部分２２０ＯＰのうち、互いに並行する一対の短辺部２２０ＯＰ１に選択的に設けられている。多蛍光体部２２７は、外周側部分２２０ＯＰを構成する一対の短辺部２２０ＯＰ１においてその延在方向（Ｙ軸方向）に沿って直線状に延在して全長にわたって設けられている。このような構成の波長変換シート２２０を製造するには、以下の手法を採るのが好ましいものとされる。すなわち、例えばロール状に巻回した基材の母材を引き出しつつその表面に蛍光体塗料を塗布することで蛍光体層を形成する場合には、引き出される母材の全面に蛍光体塗料を塗布する工程と、母材における引き出し方向を波長変換シート２２０の短辺方向と一致させるとともにその両側端部、つまり一対の短辺部にのみ蛍光体塗料を塗布する工程と、母材を引き出し方向と直交する方向、つまり波長変換シート２２０の長辺方向に沿って切断して基材を得る工程と、を行うようにすれば、波長変換シート２２０における一対の短辺部２２０ＯＰ１に選択的に多蛍光体部２２７を容易に設けることができる。これにより、波長変換シート２２０に係る製造コストを低減させることができる。これに対し、外周側部分２２０ＯＰのうち、互いに並行する一対の長辺部２２０ＯＰ２には、図１３及び図１４に示すように、多蛍光体部２２７が設けられておらず、その単位面積当たりの蛍光体の含有量ＰＣＡ１が中央側部分２２０ＩＰと同等とされている。つまり、波長変換シート２２０は、外周側部分２２０ＯＰにおける一対の短辺部２２０ＯＰ１を除いた全域については、単位面積当たりの蛍光体の含有量ＰＣＡ１がほぼ一定とされている。
【００７１】
以上説明したように本実施形態によれば、波長変換シート２２０は、外周側部分２２０ＯＰに直線的に延在して互いに並行する一対の辺部２２０ＯＰ１，２２０ＯＰ２が有され一対の辺部２２０ＯＰ１，２２０ＯＰ２が多蛍光体部２２７をそれぞれ有する。このようにすれば、波長変換シート２２０の外周側部分２２０ＯＰに多蛍光体部２２７を選択的に配するに際して、一対の辺部２２０ＯＰ１，２２０ＯＰ２のそれぞれに直線的に多蛍光体部２２７を設けるようにすればよい。従って、波長変換シート２２０の製造が容易なものとなり、波長変換シート２２０に係る製造コストの低廉化を図る上で好適となる。
【００７２】
＜実施形態４＞
本発明の実施形態４を図１５または図１６によって説明する。この実施形態４では、上記した実施形態１から多蛍光体部３２７の形成範囲を変更したものを示す。なお、上記した実施形態１と同様の構造、作用及び効果について重複する説明は省略する。
【００７３】
本実施形態に係る多蛍光体部３２７は、図１５に示すように、波長変換シート３２０を構成する外周側部分３２０ＯＰのうち、一対の短辺部３２０ＯＰ１と、一対の長辺部３２０ＯＰ２のうちのＬＥＤ３１７側とは反対側の長辺部３２０ＯＰ２と、に選択的に設けられている。外周側部分３２０ＯＰのうちのＬＥＤ３１７側の長辺部３２０ＯＰ２を除いた全域、つまり図示しない導光板の外周端面のうちの非入光端面に倣う部分の全域が、多蛍光体部３２７とされている。従って、外周側部分３２０ＯＰのうちのＬＥＤ３１７側の長辺部３２０ＯＰ２には、図１５及び図１６に示すように、多蛍光体部３２７が設けられておらず、その単位面積当たりの蛍光体の含有量ＰＣＡ１が中央側部分３２０ＩＰと同等とされている。
【００７４】
＜実施形態５＞
本発明の実施形態５を図１７によって説明する。この実施形態５では、上記した実施形態１から多蛍光体部４２７の形成範囲を変更したものを示す。なお、上記した実施形態１と同様の構造、作用及び効果について重複する説明は省略する。
【００７５】
本実施形態に係る多蛍光体部４２７は、図１７に示すように、波長変換シート４２０を構成する外周側部分４２０ＯＰのうち、導光板４１９の外周端面（非入光端面４１９ｄなど）よりも外側に突き出した突き出し部４２８に選択的に設けられている。つまり、多蛍光体部４２７は、外周側部分４２０ＯＰのうち、導光板４１９の外周端面よりも内側に配される部分（突き出し部４２８に対して内側に隣り合う内側部分）には設けられておらず、その内端位置が導光板４１９の外周端面と一致している。
【００７６】
＜実施形態６＞
本発明の実施形態６を図１８によって説明する。この実施形態６では、上記した実施形態１から波長変換シート５２０の大きさ及び多蛍光体部５２７の形成範囲を変更したものを示す。なお、上記した実施形態１と同様の構造、作用及び効果について重複する説明は省略する。
【００７７】
本実施形態に係る波長変換シート５２０は、図１８に示すように、その外周端位置が導光板５１９の外周端面（非入光端面５１９ｄなど）とほぼ面一状をなしている。つまり、波長変換シート５２０は、平面に視た大きさが導光板５１９とほぼ同じ程度とされており、上記した実施形態１に記載したような突き出し部２８（図４及び図５を参照）を有さない構成とされる。多蛍光体部５２７は、波長変換シート５２０の外周側部分５２０ＯＰに設けられており、その外端位置が導光板５１９の外周端面とほぼ面一状をなしている。つまり、多蛍光体部５２７は、波長変換シート５２０のうち導光板５１９の外周端面よりも内側に配される部分（外周側部分５２０ＯＰ）に設けられている。
【００７８】
＜実施形態７＞
本発明の実施形態７を図１９または図２０によって説明する。この実施形態７では、上記した実施形態１から波長変換シート６２０の構成を変更したものを示す。なお、上記した実施形態１と同様の構造、作用及び効果について重複する説明は省略する。
【００７９】
本実施形態に係る波長変換シート６２０は、図１９及び図２０に示すように、導光板６１９の出光板面６１９ａに対して表側に重なる形で配される板面側波長変換部２９と、板面側波長変換部２９に連なっていて導光板６１９の非入光端面６１９ｄに対して側方に重なる形で配される端面側波長変換部３０と、を有している。その上で、端面側波長変換部３０が板面側波長変換部２９よりも単位面積当たりの蛍光体の含有量が相対的に多い多蛍光体部６２７を有している。このような構成によれば、導光板６１９の非入光端面６１９ｄから出射する光（再帰反射光を含む）を端面側波長変換部３０に含有される蛍光体によって波長変換することができる。つまり、ＬＥＤ６１７から発せられて導光板６１９の入光端面６１９ｂに入射されて導光板６１９内を伝播されてからそのまま非入光端面６１９ｄから出射する青色の光や、反射回数が少ないために青色味を帯びた（青色の光に係る含有比率が高い）再帰反射光が、端面側波長変換部３０を透過する際にそこに含まれる緑色蛍光体及び赤色蛍光体によって緑色の光及び赤色の光へと波長変換される。この端面側波長変換部３０は、多蛍光体部６２７を有しているから、導光板６１９の非入光端面６１９ｄから出射する光を多蛍光体部６２７によってより高い波長変換効率でもって波長変換することができる。これにより、非入光端面６１９ｄから出射した光が例えば緩衝材６２６と導光板６１９との間の隙間を通って外部に漏れ出した場合でも、バックライト装置６１２における中央側と外周側とで出射光の色味に差が生じ難くなり、もって色ムラの発生が抑制される。しかも、端面側波長変換部３０が板面側波長変換部２９に連なる構成とされているので、波長変換シート６２０に係る製造コストが低廉化されるとともに含有される蛍光体が劣化し難いものとなる。
【００８０】
端面側波長変換部３０は、板面側波長変換部２９のうちＬＥＤ６１７側の一長辺部を除いた３つの辺部（ＬＥＤ６１７側とは反対側の長辺部及び一対の短辺部）に対してそれぞれ連なる形で３つが設けられている。これら３つの端面側波長変換部３０には、導光板６１９の非入光端面６１９ｄである非入光反対端面６１９ｄ１に重なるものと、一対の非入光側端面６１９ｄ２のそれぞれに重なるものと、が含まれており、これらの全域が多蛍光体部６２７とされている。さらには、多蛍光体部６２７は、板面側波長変換部２９のうち、各端面側波長変換部３０に連なる部分にも設けられている。つまり、多蛍光体部６２７は、波長変換シート６２０のうち、導光板６１９の外周端面である非入光端面６１９ｄよりも外側に配される部分である端面側波長変換部３０と、端面側波長変換部３０に対して内側に隣り合う内側部分と、に跨る形で設けられている。本実施形態では、端面側波長変換部３０と、それに対して内側に隣り合う内側部分と、が波長変換シート６２０の外周側部分６２０ＯＰを構成している。
【００８１】
以上説明したように本実施形態によれば、波長変換シート６２０は、導光板６１９の出光板面６１９ａに重なる形で配される板面側波長変換部２９と、導光板６１９の非入光端面６１９ｄの少なくとも一部に重なる形で配される端面側波長変換部３０と、を有し、端面側波長変換部３０が多蛍光体部６２７を有する。このようにすれば、導光板６１９の出光板面６１９ａから出射する光については、波長変換シート６２０の板面側波長変換部２９により波長変換されるのに対し、導光板６１９の非入光端面６１９ｄから出射する光については、波長変換シート６２０の端面側波長変換部３０により波長変換される。この端面側波長変換部３０は、多蛍光体部６２７を有しているから、導光板６１９の非入光端面６１９ｄから出射する光を多蛍光体部６２７によってより効率的に波長変換することができ、もって色ムラの抑制を図る上でより好適となる。
【００８２】
＜実施形態８＞
本発明の実施形態８を図２１によって説明する。この実施形態８では、上記した実施形態１から多蛍光体部７２７の構成を変更したものを示す。なお、上記した実施形態１と同様の構造、作用及び効果について重複する説明は省略する。
【００８３】
本実施形態に係る波長変換シート７２０は、図２１に示すように、多蛍光体部７２７における蛍光体層７２０ａ２が、中央側部分７２０ＩＰにおける蛍光体層７２０ａ２よりも厚くなっている。このような構成においても、多蛍光体部７２７における単位面積当たりの蛍光体の含有量を、中央側部分７２０ＩＰにおける単位面積当たりの蛍光体の含有量よりも多くすることができる。このような構成の波長変換シート７２０を製造するには以下の手法を採るのが好ましいものとされる。すなわち、例えば基材７２０ａ１の表面に赤色蛍光体及び緑色蛍光体を分散配合した蛍光体塗料を塗布することで蛍光体層７２０ａ２を形成する場合、基材７２０ａ１の全面に蛍光体塗料を概ね均一に塗布した後、基材７２０ａ１のうちの外周側部分７２０ＯＰ（多蛍光体部７２７）に蛍光体塗料を重ね塗りすればよい。本実施形態を上記した実施形態３に組み合わせることができる。
【００８４】
以上説明したように本実施形態によれば、波長変換シート７２０は、蛍光体を含有する蛍光体層７２０ａ２を有していて、多蛍光体部７２７における蛍光体層７２０ａ２が、中央側部分７２０ＩＰにおける蛍光体層７２０ａ２よりも厚い。このようにすれば、波長変換シート７２０の製造に際して、例えば外周側部分７２０ＯＰの少なくとも一部に、中央側部分７２０ＩＰよりも蛍光体を多く塗布するなどにより多蛍光体部７２７を設けることができる。
【００８５】
＜実施形態９＞
本発明の実施形態９を図２２によって説明する。この実施形態９では、上記した実施形態１から多蛍光体部８２７における単位面積当たりの蛍光体の含有量に係る変化の仕方を変更したものを示す。なお、上記した実施形態１と同様の構造、作用及び効果について重複する説明は省略する。
【００８６】
本実施形態に係る多蛍光体部８２７は、図２２に示すように、外周側部分８２０ＯＰにおける内端位置から外端位置へ向かうのに従って単位面積当たりの蛍光体の含有量が連続的に漸次多くなる構成とされる。つまり、多蛍光体部８２７における単位面積当たりの蛍光体の含有量は、中央側部分８２０ＩＰから遠ざかるほど多くなり、逆に中央側部分８２０ＩＰに近づくほど少なくなるものとされる。多蛍光体部８２７における単位面積当たりの蛍光体の含有量は、スロープ状に（直線的）に変化するものとされる。
【００８７】
＜実施形態１０＞
本発明の実施形態１０を図２３によって説明する。この実施形態１０では、上記した実施形態９から多蛍光体部９２７における単位面積当たりの蛍光体の含有量に係る変化の仕方を変更したものを示す。なお、上記した実施形態９と同様の構造、作用及び効果について重複する説明は省略する。
【００８８】
本実施形態に係る多蛍光体部９２７は、図２３に示すように、外周側部分９２０ＯＰにおける内端位置から外端位置へ向かう（中央側部分９２０ＩＰから遠ざかる）のに従って単位面積当たりの蛍光体の含有量が段階的に逐次多くなる構成とされる。多蛍光体部９２７における単位面積当たりの蛍光体の含有量は、多段階の階段状に変化するものとされる。
【００８９】
＜他の実施形態＞
本発明は上記記述及び図面によって説明した実施形態に限定されるものではなく、例えば次のような実施形態も本発明の技術的範囲に含まれる。
（１）上記した各実施形態（実施形態６を除く）では、波長変換シートの外周側部分のうちの突き出し部が全域にわたって多蛍光体部とされる構成を例示したが、突き出し部の一部のみを多蛍光体部とすることも可能である。その場合、突き出し部のうちの突き出し先端側部分を選択的に多蛍光体部とするのが好ましい。
【００９０】
（２）上記した各実施形態（実施形態５，６を除く）では、波長変換シートの外周側部分における突き出し部とその内側部分とに跨る形で多蛍光体部が設けられる構成を示したが、多蛍光体部における突き出し部とその内側部分との具体的な面積比率は図示以外にも適宜に変更可能である。また、突き出し部における導光板の外周端面からの具体的な突き出し量は図示以外にも適宜に変更可能である。
【００９１】
（３）上記した各実施形態（実施形態５，６を除く）では、波長変換シートの外周側部分が全周にわたって突き出し部を有する構成を示したが、波長変換シートの外周側部分が周方向について部分的に突き出し部を有する構成を採ることも可能である。具体例としては、例えば、波長変換シートの外周側部分のうち、導光板の入光端面に倣う部分（光源側の一長辺部）については突き出し部を有さないものの、導光板の非入光端面に倣う部分（非入光反対端面に倣う一長辺部、及び非入光側端面に倣う一対の短辺部）については突き出し部を有する構成を採ることが可能である。その場合でも、突き出し部の全域を多蛍光体部とするのが好ましいが、必ずしもその限りではない。
【００９２】
（４）上記した各実施形態では、波長変換シートの外周側部分を構成する辺部をその延在方向について全長にわたって多蛍光体部とした場合を示したが、波長変換シートの外周側部分を構成する辺部をその延在方向について部分的に多蛍光体部とすることも可能である。
【００９３】
（５）上記した各実施形態では、波長変換シートを構成する波長変換層が基材の表面に蛍光体層を塗布して形成される場合を例示したが、例えば基材の材料中に蛍光体を分散配合することで波長変換層を形成することも可能である。
【００９４】
（６）上記した各実施形態３では、波長変換シートの外周側部分における一対の短辺部を多蛍光体部とした場合を示したが、波長変換シートの外周側部分における一対の長辺部を多蛍光体部とすることも可能である。
【００９５】
（７）上記した各実施形態３では、波長変換シートの外周側部分における一対の短辺部を多蛍光体部とした場合を示したが、いずれか一方の短辺部のみを多蛍光体部とすることも可能である。同様に、波長変換シートの外周側部分における一対の長辺部のうちの一方の長辺部のみを多蛍光体部とすることも可能である。その場合は、一対の長辺部のうち導光板の非入光反対端面に倣う長辺部を多蛍光体部とすれば、非入光反対端面から出射する光を多蛍光体部により効率的に波長変換することができるので好ましい。
【００９６】
（８）上記した実施形態６では、波長変換シートの外周端位置が導光板の外周端面とほぼ面一状をなす構成を例示したが、波長変換シートの外周端位置が導光板の外周端面よりも内側に引っ込む構成においても本発明は適用可能である。
【００９７】
（９）上記した実施形態７では、波長変換シートを構成する端面側波長変換部の全域を多蛍光体部とした場合を例示したが、端面側波長変換部の一部を多蛍光体部とすることも可能である。具体的には、例えば導光板の非入光反対端面に重なる端面側波長変換部を選択的に多蛍光体部としたり、一対の非入光側端面に重なる一対の端面側波長変換部を選択的に多蛍光体部としたりすることが可能である。それ以外にも、各端面側波長変換部のうち、導光板の非入光端面における高さ方向についての一部のみを多蛍光体部としたり、導光板の非入光端面における長さ方向についての一部のみを多蛍光体部としたりすることも可能である。
【００９８】
（１０）上記した実施形態７では、波長変換シートが、導光板の非入光反対端面に重なる端面側波長変換部と、一対の非入光側端面に重なる一対の端面側波長変換部と、を有する構成を例示したが、３つの端面側波長変換部のいずれか１つまたは２つを除去することも可能である。
【００９９】
（１１）上記した実施形態９では、多蛍光体部における単位面積当たりの蛍光体の含有量が直線的に変化する構成を例示したが、多蛍光体部における単位面積当たりの蛍光体の含有量が曲線的に変化する構成（例えば円弧状のカーブを描くよう変化する構成など）を採ることも可能である。
【０１００】
（１２）上記した実施形態２に記載した構成を、実施形態３〜１０に記載した構成に組み合わせることも可能である。
【０１０１】
（１３）上記した実施形態３に記載した構成を、実施形態５〜１０に記載した構成に組み合わせることも可能である。
【０１０２】
（１４）上記した実施形態４に記載した構成を、実施形態５〜１０に記載した構成に組み合わせることも可能である。
【０１０３】
（１５）上記した実施形態５に記載した構成を、実施形態７〜１０に記載した構成に組み合わせることも可能である。
【０１０４】
（１６）上記した実施形態６に記載した構成を、実施形態８〜１０に記載した構成に組み合わせることも可能である。
【０１０５】
（１７）上記した実施形態７に記載した構成を、実施形態８〜１０に記載した構成に組み合わせることも可能である。
【０１０６】
（１８）上記した実施形態８に記載した構成を、実施形態９，１０に記載した構成に組み合わせることも可能である。
【０１０７】
（１９）上記した各実施形態では、４枚の光学部材を備える構成を例示したが、光学部材の枚数は３枚以下または５枚以上に変更することも可能である。また、波長変換シートを除いて使用する光学部材の種類についても適宜に変更可能であり、例えば拡散シートなどを用いることも可能である。また、波長変換シートを除いた他の光学部材の具体的な積層順についても適宜に変更可能である。
【０１０８】
（２０）上記した各実施形態では、波長変換シートが導光板に対して表側に直接載せられる構成を例示したが、導光板と波長変換シートとの間に他の光学部材（マイクロレンズシート、プリズムシート、反射型偏光シートなど）を１枚または複数枚重ねて配置することも可能である。
【０１０９】
（２１）上記した各実施形態では、ＬＥＤ及びＬＥＤ基板を導光板における長辺側の一端面に対して対向状に配したものを示したが、ＬＥＤ及びＬＥＤ基板を導光板における短辺側の一端面に対して対向状に配するようにしてもよい。
【０１１０】
（２２）上記した各実施形態では、ＬＥＤ及びＬＥＤ基板を導光板における一端面に対して対向状に配したものを示したが、ＬＥＤ及びＬＥＤ基板を導光板における一対の長辺側の端面または一対の短辺側の端面に対して対向状に配するようにしてもよい。また、ＬＥＤ及びＬＥＤ基板を導光板における任意の３つの端面に対して対向状に配することも可能である。また、ＬＥＤ及びＬＥＤ基板を導光板における４つ、つまり全ての端面に対して対向状に配することも可能である。
【０１１１】
（２３）上記した各実施形態では、光源として青色の単色光を発するＬＥＤを用いた場合を示したが、光源として青色以外の色の光を発するＬＥＤを用いることも可能であり、その場合は波長変換シートに含有させる蛍光体が呈する色もＬＥＤの光の色に応じて変更すればよい。例えば、マゼンタ色の光を発するＬＥＤを用いる場合には、波長変換シートに含有させる蛍光体としてマゼンダ色の補色となる緑色を呈する緑色蛍光体を用いるようにすれば、バックライト装置の照明光（出射光）を白色化することができる。
【０１１２】
（２４）上記した（２３）以外にも、紫色の光を発するＬＥＤを用いる場合には、波長変換シートに含有させる蛍光体として紫色の補色となる黄緑色を呈するよう緑色蛍光体及び黄色蛍光体を用いるようにすれば、バックライト装置の照明光（出射光）を白色化することができる。
【０１１３】
（２５）上記した（２３），（２４）以外にも、シアン色の光を発するＬＥＤを用いる場合には、波長変換シートに含有させる蛍光体としてシアン色の補色となる赤色を呈する赤色蛍光体を用いるようにすれば、バックライト装置の照明光（出射光）を白色化することができる。
【０１１４】
（２６）上記した各実施形態では、波長変換シートが緑色蛍光体及び赤色蛍光体を含む構成とされる場合を示したが、波長変換シートに黄色蛍光体のみを含ませた構成としたり、黄色蛍光体に加えて赤色蛍光体や緑色蛍光体を含ませた構成としたりすることも可能である。
【０１１５】
（２７）上記した各実施形態では、波長変換シートに含まれる蛍光体として用いた量子ドット蛍光体をＣｄＳｅ及びＺｎＳからなるコア・シェル型とした場合を例示したが、内部組成を単一組成としたコア型量子ドット蛍光体を用いることも可能である。例えば、２価の陽イオンになるＺｎ、Ｃｄ、Ｈｇ、Ｐｂ等と２価の陰イオンになるＯ、Ｓ、Ｓｅ、Ｔｅ等とを組み合わせた材料（ＣｄＳｅ、ＣｄＳ、ＺｎＳ）を単独で用いることが可能である。さらには、３価の陽イオンとなるＧａ、Ｉｎ等と３価の陰イオンとなるＰ、Ａｓ、Ｓｂ等とを組み合わせた材料（ＩｎＰ（リン化インジウム）、ＧａＡｓ（ヒ化ガリウム）等）やカルコパイライト型化合物（ＣｕＩｎＳｅ2等）などを単独で用いることも可能である。また、コア・シェル型やコア型の量子ドット蛍光体以外にも、合金型の量子ドット蛍光体を用いることも可能である。また、カドミウムを含有しない量子ドット蛍光体を用いることも可能である。
【０１１６】
（２８）上記した各実施形態では、波長変換シートに含まれる蛍光体として用いた量子ドット蛍光体をＣｄＳｅ及びＺｎＳのコア・シェル型とした場合を例示したが、他の材料同士を組み合わせてなるコア・シェル型の量子ドット蛍光体を用いることも可能である。
【０１１７】
（２９）上記した各実施形態では、波長変換シートに量子ドット蛍光体を含有させた構成のものを例示したが、他の種類の蛍光体を波長変換シートに含有させるようにしても構わない。例えば、波長変換シートに含有させる蛍光体として硫化物蛍光体を用いることができ、具体的には緑色蛍光体としてＳｒＧａ2Ｓ4：Ｅｕ2+を、赤色蛍光体として（Ｃａ，Ｓｒ，Ｂａ）Ｓ：Ｅｕ2+を、それぞれ用いることが可能である。
【０１１８】
（３０）上記した（２９）以外にも、波長変換シートに含有させる緑色蛍光体を、(Ｃａ，Ｓｒ，Ｂａ) 3ＳｉＯ4：Ｅｕ2+、β−ＳｉＡｌＯＮ：Ｅｕ2+、Ｃａ3Ｓｃ2Ｓｉ3Ｏ12：Ｃｅ3+などとすることができる。また、波長変換シートに含有させる赤色蛍光体を、(Ｃａ，Ｓｒ，Ｂａ) 2ＳｉＯ5Ｎ8：Ｅｕ2+、ＣａＡｌＳｉＮ3：Ｅｕ2+などとすることができる。さらには、波長変換シートに含有させる黄色蛍光体を、(Ｙ，Ｇｄ) 3 (Ａｌ，Ｇａ) 5Ｏ12：Ｃｅ3+（通称 ＹＡＧ：Ｃｅ3+）、α−ＳｉＡｌＯＮ：Ｅｕ2+、(Ｃａ，Ｓｒ，Ｂａ) 3ＳｉＯ4：Ｅｕ2+などとすることができる。それ以外にも、波長変換シートに含有させる蛍光体として、複フッ化物蛍光体（マンガン付活のケイフッ化カリウム（Ｋ2ＴｉＦ6）など）を用いることも可能である。
【０１１９】
（３１）上記した（２９），（３０）以外にも、波長変換シートに含有させる蛍光体として有機蛍光体を用いることができる。有機蛍光体としては、例えばトリアゾールまたはオキサジアゾールを基本骨格とした低分子の有機蛍光体を用いることができる。
【０１２０】
（３２）上記した（２９），（３０），（３１）以外にも、波長変換シートに含有させる蛍光体としてドレスト光子（近接場光）を介したエネルギー移動によって波長変換を行う蛍光体を用いることも可能である。この種の蛍光体としては、具体的には、直径３ｎｍ〜５ｎｍ（好ましくは４ｎｍ程度）の酸化亜鉛量子ドット（ＺｎＯ−ＱＤ）にＤＣＭ色素を分散・混合させた構成の蛍光体を用いるのが好ましい。
【０１２１】
（３３）上記した各実施形態以外にも、ＬＥＤの発光スペクトル（ピーク波長の数値、ピークの半値幅の数値など）及び蛍光体層に含まれる蛍光体の発光スペクトル（ピーク波長の数値、ピークの半値幅の数値など）に関しては、適宜に変更することが可能である。
【０１２２】
（３４）上記した各実施形態では、ＬＥＤを構成するＬＥＤ素子の材料としてＩｎＧａＮを用いた場合を示したが、他のＬＥＤ素子の材料として、例えばＧａＮ、ＡｌＧａＮ、ＧａＰ、ＺｎＳｅ、ＺｎＯ、ＡｌＧａＩｎＰなどを用いることも可能である。
【０１２３】
（３５）上記した各実施形態では、シャーシが金属製とされた場合を例示したが、シャーシを合成樹脂製とすることも可能である。
【０１２４】
（３６）上記した各実施形態では、光学部材における波長変換シート以外のもの（マイクロレンズシート、プリズムシート、反射型偏光シート）がフレームの枠状部に対して表側に載せられて波長変換シートとの間に間隔が空けられた構成を例示したが、光学部材における波長変換シート以外のものが波長変換シートに対して表側に直接載せられる構成を採ることも可能である。その場合、フレームの枠状部が最も表側に配される光学部材を表側から押さえる構成を採るのが好ましいものとされるが、必ずしもその限りではない。
【０１２５】
（３７）上記した各実施形態では、光源としてＬＥＤを用いたものを示したが、有機ＥＬなどの他の光源を用いることも可能である。
【０１２６】
（３８）上記した各実施形態では、液晶パネル及びシャーシがその短辺方向を鉛直方向と一致させた縦置き状態とされるものを例示したが、液晶パネル及びシャーシがその長辺方向を鉛直方向と一致させた縦置き状態とされるものも本発明に含まれる。
【０１２７】
（３９）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１２８】
（４０）上記した各実施形態では、透過型の液晶表示装置を例示したが、それ以外にも反射型の液晶表示装置や半透過型の液晶表示装置にも本発明は適用可能である。
【０１２９】
（４１）上記した各実施形態では、表示パネルとして液晶パネルを用いた液晶表示装置を例示したが、他の種類の表示パネルを用いた表示装置にも本発明は適用可能である。
【０１３０】
（４２）上記した各実施形態では、チューナーを備えたテレビ受信装置を例示したが、チューナーを備えない表示装置にも本発明は適用可能である。具体的には、電子看板（デジタルサイネージ）や電子黒板として使用される液晶表示装置にも本発明は適用することができる。
【符号の説明】
【０１３１】
１０…液晶表示装置（表示装置）、１１…液晶パネル（表示パネル）、１２，６１２…バックライト装置（照明装置）、１７，３１７，６１７…ＬＥＤ（光源）、１９，４１９，５１９，６１９…導光板、１９ａ，６１９ａ…出光板面、１９ｂ，６１９ｂ…入光端面、１９ｄ，４１９ｄ，５１９ｄ…非入光端面、２０，１２０，２２０，３２０，４２０，５２０，６２０，７２０…波長変換シート（波長変換部材）、２０ａ２，７２０ａ２…蛍光体層、２０ＩＰ，１２０ＩＰ，２２０ＩＰ，２０ＩＰ，３２０ＩＰ，７２０ＩＰ，８２０ＩＰ，９２０ＩＰ…中央側部分、２０ＯＰ，１２０ＯＰ，２２０ＯＰ，３２０ＯＰ，４２０ＯＰ，５２０ＯＰ，６２０ＯＰ，７２０ＯＰ，８２０ＯＰ，９２０ＯＰ…外周側部分、２０ＯＰ１，１２０ＯＰ１，２２０ＯＰ１，３２０ＯＰ１…短辺部（辺部）、２０ＯＰ２，１２０ＯＰ２，２２０ＯＰ２，３２０ＯＰ２…長辺部（辺部）、２７，１２７，２２７，３２７，４２７，５２７，６２７，７２７，８２７，９２７…多蛍光体部、２８，４２８…突き出し部、２９…板面側波長変換部、３０…端面側波長変換部、１２０ＯＰ１Ａ…端部、１２０ＯＰ１Ｂ…中央部、１２０ＯＰ２Ａ…端部、１２０ＯＰ２Ｂ…中央部
【図１】
2018195583.tif 000003
【図２】
2018195583.tif 000004
【図３】
2018195583.tif 000005
【図４】
2018195583.tif 000006
【図５】
2018195583.tif 000007
【図６】
2018195583.tif 000008
【図７】
2018195583.tif 000009
【図８】
2018195583.tif 000010
【図９】
2018195583.tif 000011
【図１０】
2018195583.tif 000012
【図１１】
2018195583.tif 000013
【図１２】
2018195583.tif 000014
【図１３】
2018195583.tif 000015
【図１４】
2018195583.tif 000016
【図１５】
2018195583.tif 000017
【図１６】
2018195583.tif 000018
【図１７】
2018195583.tif 000019
【図１８】
2018195583.tif 000020
【図１９】
2018195583.tif 000021
【図２０】
2018195583.tif 000022
【図２１】
2018195583.tif 000023
【図２２】
2018195583.tif 000024
【図２３】
2018195583.tif 000025